(57)【要約】      （修正有）【課題】安価で且つ軽量で使い勝手が良く、尚且つ天部を載置台として使用することもでき、さらにインテリア性をも有する収納体を提供する。【解決手段】合成樹脂製の収納本体１の天部２に周壁部４を周設して天板位置決め係合凹部５を形成すると共に、この天板位置決め係合凹部５を正面側ほど浅底となるように構成し、この天板位置決め係合凹部５に剛性のある天板３を表裏入れ替え自在に設けると共に、この天板位置決め係合凹部５に天板３を位置決め係合した際、天板３の正面側端部が天板位置決め係合凹部５から上方に突出するように構成した。【選択図】図４
2017042333.tif 000002
【特許請求の範囲】
【請求項１】
合成樹脂製の収納本体の天部に、載置部を形成する剛性のある天板を表裏入れ替え自在に設けた収納体であって、前記天板は、表裏異なる外観を有した構成とし、前記天部は、該天部の外周縁に沿って周壁部を周設して、前記天板を位置決め状態に係合する天板位置決め係合凹部を形成した構成とし、この天板位置決め係合凹部は、前記周壁部の正面周壁部の壁高さを前記天板の板厚よりも低く設定し、背面周壁部の壁高さを前記天板の板厚よりも高く設定し、且つ側面周壁部の壁高さを前記正面周壁部側に行くに連れ徐々に低くなるように設定して、正面側ほど浅底となるように構成して、この天板位置決め係合凹部に前記天板を位置決め係合した際、前記天板の正面側端部が前記天板位置決め係合凹部から上方に突出するように構成したことを特徴とする収納体。
【請求項２】
前記天板は、表裏いずれか一方の面を前記収納本体と同じ色若しくは同じ模様の外観としたことを特徴とする請求項１記載の収納体。
【請求項３】
前記天板は、木製若しくは合板製であることを特徴とする請求項１，２のいずれか１項に記載の収納体。
【発明の詳細な説明】
【技術分野】
【０００１】
本発明は、合成樹脂製の収納本体の天部に、載置部を形成する剛性のある天板を表裏入れ替え自在に設けた収納体に関するものである。
【背景技術】
【０００２】
衣服などを収納する収納体（例えばチェストなど）は、価格、使い勝手の面で、安価であると共に、軽量で移動設置が容易である合成樹脂製のタイプのものが市場に広く浸透している。
【０００３】
しかしながら、この合成樹脂製の収納体は、上述のような利点を有する一方、木製の収納体に比べて剛性に乏しく、天部に花瓶や置時計等の重量のある載置物を載置すると天部が載置物の重みで撓んでしまい不安定な状態になってしまうため、この天部を載置台として使用することができなかった。
【０００４】
また、製造コストを抑える為、シンプルな外観のものが多く、インテリア性に乏しいものが多い。
【発明の概要】
【発明が解決しようとする課題】
【０００５】
本発明は、上述のような現状に鑑みなされたもので、安価で且つ軽量で使い勝手が良く、尚且つ耐久性を有し花瓶や置時計などの重量のある載置物を安定して載置することができる載置台として使用することもでき、しかも、インテリア性をも有する実用性に優れた収納体を提供することを目的とする。
【課題を解決するための手段】
【０００６】
添付図面を参照して本発明の要旨を説明する。
【０００７】
合成樹脂製の収納本体１の天部２に、載置部を形成する剛性のある天板３を表裏入れ替え自在に設けた収納体であって、前記天板３は、表裏異なる外観を有した構成とし、前記天部２は、該天部２の外周縁に沿って周壁部４を周設して、前記天板３を位置決め状態に係合する天板位置決め係合凹部５を形成した構成とし、この天板位置決め係合凹部５は、前記周壁部４の正面周壁部４Ａの壁高さを前記天板３の板厚よりも低く設定し、背面周壁部４Ｂの壁高さを前記天板３の板厚よりも高く設定し、且つ側面周壁部４Ｃの壁高さを前記正面周壁部４Ａ側に行くに連れ徐々に低くなるように設定して、正面側ほど浅底となるように構成して、この天板位置決め係合凹部５に前記天板３を位置決め係合した際、前記天板３の正面側端部が前記天板位置決め係合凹部５から上方に突出するように構成したことを特徴とする収納体に係るものである。
【０００８】
また、前記天板３は、表裏いずれか一方の面を前記収納本体１と同じ色若しくは同じ模様の外観としたことを特徴とする請求項１記載の収納体に係るものである。
【０００９】
また、前記天板３は、木製若しくは合板製であることを特徴とする請求項１，２のいずれか１項に記載の収納体に係るものである。
【発明の効果】
【００１０】
本発明は上述のように構成したから、安価で且つ軽量で使い勝手が良く、尚且つ耐久性を有し花瓶や置時計などの重量のある載置物を安定して載置することができる載置台として使用することもでき、しかも、インテリア性をも有する実用性に優れた収納体となる。
【図面の簡単な説明】
【００１１】
【図１】本実施例（天板を表面にした状態）を示す斜視図である。
【図２】本実施例（天板を裏面にした状態）を示す斜視図である。
【図３】図２の分解斜視図である。
【図４】本実施例を示す一部を切り欠いた説明側面図である。
【発明を実施するための形態】
【００１２】
好適と考える本発明の実施形態を、図面に基づいて本発明の作用を示して簡単に説明する。
【００１３】
本発明は、合成樹脂製の収納本体１の天部２に剛性のある天板３を設けることで、この収納本体１の上部に（天部２上に）に耐荷重性を有する載置部が形成されることとなり、花瓶や置時計などの比較的重量のある載置物を載置しても、載置部が撓むなどの不具合が生じず、安定して載置物を載置することができる。
【００１４】
また、本発明は、この天部２に設ける天板３を、表裏異なる外観とすると共に、この天部２に表裏入れ替え自在に設けた構成としたから、設置場所の外観や雰囲気等に合わせて天板３の外観を選択することができたり、載置する載置物に合わせて天板３の外観を選択することができる。
【００１５】
更に、本発明は、収納本体１の天部２に形成した天板位置決め係合凹部５に天板３を係合させると、この天板３は周囲に形成された周壁部４によって前後左右のいずれの方向へも移動が抑制され、天板位置決め係合凹部５内に位置決めされた状態で係合することとなり、これにより、載置部となる天板３が位置ずれて落下する心配が無いので、安心して天板３を載置部として使用することができる。
【００１６】
また更に、本発明は、この天板３を位置決めする周壁部４の正面周壁部４Ａの壁高さを天板３の板厚よりも低く設定し、背面周壁部４Ｂの壁高さを天板３の板厚よりも高く設定し、且つ側面周壁部４Ｃの壁高さを正面周壁部４Ａ側に行くに連れ徐々に低くなるように設定して、正面側ほど浅底となるように構成したから、天部２、即ち天板位置決め係合凹部５に天板３を設けた状態において、この天板３の正面側端部が天板位置決め係合凹部５から上方に突出する、言い換えると周壁部４の正面周壁部４の上端部から天板３が突出し、この突出した天板３の正面側端部に指を掛けて容易にこの天板３の正面側を持ち上げることができ、したがって、天板３の表裏入れ替えが極めて容易にできる。
【００１７】
しかも、正面側は壁高さが低く、開けているので、天板３上（載置部）に載置した載置物が見易く、更に、例えば、天板３の表裏面に意匠を施すことで、この天板３の意匠がデザインのアクセントとなって見栄えも良くなる。
【００１８】
更に、前下がり傾斜に形成した側面周壁部４Ｃにより、形状にもアクセントが付与され、質感やデザイン性が向上したものとなる。
【００１９】
また更に、この載置部の奥側は、壁高さが天板３よりも上方に突出した背面周壁部４Ｂと側面周壁部４Ｃの背面側により囲まれた状態となり、この天板３より突出した背面周壁部４Ｂと側面周壁部４Ｃの背面側が落下防止壁部として機能し、載置部からの載置物の落下を可及的に低減することができる。
【００２０】
このように、本発明は、安価で且つ軽量で使い勝手が良く、尚且つ耐久性を有し花瓶や置時計などの重量のある載置物を安定して載置することができる載置台として使用することもでき、しかも、インテリア性をも有する実用性に優れた収納体となる。尚、本発明における上記壁高さとは、天部２表面から突出する寸法を意味するものとする。
【実施例】
【００２１】
本発明の具体的な実施例について図面に基づいて説明する。
【００２２】
本実施例は、合成樹脂製の収納本体１の天部２に、載置部を形成する剛性のある天板３を表裏入れ替え自在に設けた収納体であって、前記天板３は、表裏異なる外観を有した構成とし、前記天部２は、該天部２の外周縁に沿って周壁部４を周設して、前記天板３を位置決め状態に係合する天板位置決め係合凹部５を形成した構成とし、この天板位置決め係合凹部５は、前記周壁部４の正面周壁部４Ａの壁高さを前記天板３の板厚よりも低く設定し、背面周壁部４Ｂの壁高さを前記天板３の板厚よりも高く設定し、且つ側面周壁部４Ｃの壁高さを前記正面周壁部４Ａ側に行くに連れ徐々に低くなるように設定して、正面側ほど浅底となるように構成して、この天板位置決め係合凹部５に前記天板３を位置決め係合した際、前記天板３の正面側端部が前記天板位置決め係合凹部５から上方に突出するように構成したものである。
【００２３】
以下、本実施例に係る構成各部について詳細に説明する。
【００２４】
本実施例の収納本体１は、図示するように、複数（本実施例では２体）の合成樹脂製の引き出し部６と、この引き出し部６を収納配設する合成樹脂製の引き出し収納部７とから成り、各引き出し部６を引き出し収納部７に上下方向に並設状態に引き出し自在に設けた構成としている。尚、符号８は引き出し部６を引き出し操作するための取手部である。
【００２５】
また、収納本体１は、平面視方形状に形成した天部２（引き出し収納部７の上面）を備え、この天部２は外周縁に沿って正面周壁部４Ａ、背面周壁部４Ｂ及び左右の側面周壁部４Ｃの四面で構成される周壁部４を周設して、後述する天板３を嵌設する天板位置決め係合凹部５を形成した構成としている。
【００２６】
具体的には、本実施例の周壁部４は、収納本体１の正面側に位置する正面周壁部４Ａの壁高さを天板３の板厚よりも低い壁高さに設定し、背面側に位置する背面周壁部４Ｂの壁高さを天板３の板厚よりも高い壁高さに設定し、この正面周壁部４Ａと背面周壁部４Ｂの間に架設される側面周壁部４Ｃは、奥側（背面周壁部４Ｂと連設する側）の壁高さを背面周壁部４Ｂと同じ高さに設定し、手前側（正面周壁部４Ａと連設する側）の壁高さを正面周壁部４Ａと同じ高さに設定すると共に、奥側から手前側（背面周壁部４Ｂ側から正面周壁部４Ａ側）に向かって上辺部が徐々に低くなる前下がり傾斜する形状に形成した構成として、この正面周壁部４Ａ、背面周壁部４Ｂ及び側面周壁部４Ｃで構成される周壁部４によって形成される天板位置決め係合凹部５を、正面側程浅底になるように構成している。尚、本実施例における前記壁高さとは、天部２表面から上方に突出する部分の高さ寸法を意味するものとする。
【００２７】
即ち、本実施例は、この天板位置決め係合凹部５に天板３を係合（嵌合）した際に、図示するように、天板３の正面側端部の上部側が天板位置決め係合凹部５（正面周壁部４Ａ）から突出し、この突出した天板３の正面側端部に指を掛けてこの天板３の正面側（手前側）を上方側に容易に持ち上げられるように構成している。また、本実施例は、天板３の左右側端部の正面側も天板位置決め係合凹部５から突出するように構成しており、この天板３の左右側端部の正面側に指先を掛けて両手でこの天板３の正面側（手前側）を上方側に持ち上げることができる様にも構成している。尚、図中符号９は、周壁部４を補強するリブである。
【００２８】
また、本実施例の天板３は、載置物を載置しても撓み変形しない剛性のある天板３、即ち載置物の重量に耐え得る耐荷重性を有する天板３であり、具体的には、木製若しくは合板製の天板３を採用した構成としている。
【００２９】
また、本実施例の天板３は、表裏面を異なる外観とした構成とし、具体的には、表裏面のいずれか一方の面（本実施例では表面）を収納本体１と同じ色若しくは同じ模様の外観とし、もう一方の面（本実施例では裏面）を木目調の意匠を施した外観とした構成とし、前述した収納本体１の天部２に形成された天板位置決め係合凹部５に表裏入れ替え自在に設けて、所望の面を見せて設けることができるように構成している。
【００３０】
即ち、天板３の表面を見せるようにして設けた場合は、収納本体１と一体化したデザインを呈し、裏面を見せるようにして設けた場合は、収納本体１と天板３の外観が異なることで、この天板３がデザインのアクセントになると共に、木目調の意匠により質感が向上するように構成している。
【００３１】
上述のように構成した本実施例の作用・効果について以下に説明する。
【００３２】
本実施例は、合成樹脂製の収納本体１の天部２に剛性のある天板３を設けた構成としたから、この収納本体１の上部に（天部２上に）に耐荷重性を有する載置部が形成されることとなり、花瓶や置時計などの比較的重量のある載置物を載置しても、載置部が撓むなどの不具合が生じず、安定して載置物を載置することができる。
【００３３】
また、本実施例は、天板３を表裏異なる外観とすると共に、この天部２（天板位置決め係合凹部５）に表裏入れ替え自在に設けた構成としたから、設置場所の外観や雰囲気等に合わせたり、載置する載置物に合わせして天板３の外観を選択することができる。
【００３４】
更に、本実施例は、収納本体１の天部２に形成した天板位置決め係合凹部５に天板３を係合させると、この天板３は周囲に形成された周壁部４によって前後左右のいずれの方向へも移動が抑制され、天板位置決め係合凹部５内に位置決めされた状態で係合するように構成したから、これにより、載置部となる天板３が位置ずれて落下する心配が無いので、安心して天板３を載置部として使用することができる。
【００３５】
また更に、本実施例は、この天板３を位置決めする周壁部４の正面周壁部４Ａの壁高さを天板３の板厚よりも低く設定し、背面周壁部４Ｂの壁高さを天板３の板厚よりも高く設定し、且つ側面周壁部４Ｃの壁高さを正面周壁部４Ａ側に行くに連れ徐々に低くなるように設定して、正面側ほど浅底となるように構成したから、天部２、即ち天板位置決め係合凹部５に天板３を設けた状態において、この天板３の正面側端部が天板位置決め係合凹部５から上方に突出する、言い換えると周壁部４の正面周壁部４の上端部から天板３が突出し、この突出した天板３の正面側端部に指を掛けて容易にこの天板３の正面側を持ち上げることができ、したがって、天板３の表裏入れ替えが極めて容易にできる。
【００３６】
しかも、正面側は壁高さが低く開けているので、天板３上（載置部）に載置した載置物が見易く、更に、本実施例は、天板３に木目調の意匠を施したから、この天板３の意匠がデザインのアクセントとなって見栄えも良くなる。
【００３７】
更に、前下がり傾斜形状に形成した側面周壁部４Ｃにより、形状にもアクセントが付与され、質感やデザイン性が向上したものとなる。
【００３８】
また更に、この載置部の奥側は、壁高さが天板３よりも上方に突出した背面周壁部４Ｂと側面周壁部４Ｃの背面側により囲まれた状態となり、この天板３より突出した背面周壁部４Ｂと側面周壁部４Ｃの背面側が落下防止壁部として機能し、載置部からの載置物の落下を可及的に低減することができる。
【００３９】
尚、本発明は、本実施例に限られるものではなく、各構成要件の具体的構成は適宜設計し得るものである。
【符号の説明】
【００４０】
１  収納本体
２  天部
３  天板
４  周壁部
４Ａ  正面周壁部
４Ｂ  背面周壁部
４Ｃ  側面周壁部
５  天板位置決め係合凹部
【図１】
2017042333.tif 000003
【図２】
2017042333.tif 000004
【図３】
2017042333.tif 000005
【図４】
2017042333.tif 000006